(57)【要約】      （修正有）【課題】濃度と放射線量を容易に測定することができる濃度兼放射線量測定器を提供する。【解決手段】本考案に係る濃度兼放射線量測定器１は、検出面３と検出面３に載せられた試料の所定成分の濃度を測定する濃度センサと検出面３に載せられた試料の放射線量を測定する放射線センサとを有する。放射線センサは、検出面３を底面として立ち上がる放射線検出面４を介して非接触で放射線量を測定する。濃度兼放射線量測定器１は、濃度の測定、放射線量の測定および濃度の測定と放射線量の測定から構成される測定種別を切り替える操作部５を有し、濃度の測定と放射線量の測定の測定種別が選択されると濃度と放射線量とが同時に測定される。【選択図】図１
0003225919.tif 000002
【実用新案登録請求の範囲】
【請求項１】
検出面と、
前記検出面に載せられた試料の所定成分の濃度を測定する濃度センサと、
前記検出面に載せられた試料の放射線量を測定する放射線センサと、を有する濃度兼放射線量測定器。
【請求項２】
前記放射線センサは、前記検出面を底面として立ち上がる放射線検出面を介して非接触で前記放射線量を測定する、請求項１に記載の濃度兼放射線量測定器。
【請求項３】
前記測定器は、前記濃度の測定、前記放射線量の測定、および前記濃度の測定と前記放射線量の測定から構成される測定種別を切り替える操作部を有し、
前記濃度の測定と前記放射線量の測定の測定種別を選択すると、前記濃度と、前記放射線量とが同時に測定される、請求項１または２に記載の濃度兼放射線量測定器。
【請求項４】
前記濃度は、糖度、塩分濃度または酸度である、請求項１〜３のいずれかに記載の濃度兼放射線量測定器。
【考案の詳細な説明】
【技術分野】
【０００１】
本考案は、濃度兼放射線量測定器に関する。
【背景技術】
【０００２】
近年の食品に対する安全性の意識の高まりから、食品に含まれる放射線量を一般人でも簡単に測定することができる種々の簡易型放射線測定器が提案されている（例えば、特許文献１参照）。
【先行技術文献】
【特許文献】
【０００３】
【特許文献１】特開２０１３−１５２１２１号公報
【考案の概要】
【考案が解決しようとする課題】
【０００４】
しかし、例えば、店舗で青果物を販売する時や、家庭で放射線を測定する時には、放射線量の他に糖度や塩分濃度等の濃度を合わせて測定したい場合もあり、濃度と放射線量を測定できる測定器が求められていた。
【０００５】
本考案はこのような事情を考慮してなされたもので、濃度と放射線量を容易に測定することができる濃度兼放射線量測定器を提供することを目的とする。
【課題を解決するための手段】
【０００６】
本考案に係る濃度兼放射線量測定器は、上述した課題を解決するために、検出面と、前記検出面に載せられた試料の所定成分の濃度を測定する濃度センサと、前記検出面に載せられた試料の放射線量を測定する放射線センサと、を有する。
【考案の効果】
【０００７】
本考案に係る濃度兼放射線量測定器は、濃度と放射線量を容易に測定することができる。
【図面の簡単な説明】
【０００８】
【図１】本考案の実施形態に係る濃度兼放射線量測定器の外観を示す説明図。
【図２】本考案の実施形態に係る濃度兼放射線量測定器の機能ブロック図。
【考案を実施するための形態】
【０００９】
本考案に係る濃度兼放射線量測定器の一実施形態を添付図面に基づいて説明する。
【００１０】
図１は、本考案の実施形態に係る濃度兼放射線量測定器１の外観を示す説明図である。図２は、本考案の実施形態に係る濃度兼放射線量測定器１の機能ブロック図である。本実施形態に係る濃度兼放射線量測定器１は、検出面３と、糖度センサ１１と、放射線センサ１２と、操作部５と、を備える。
【００１１】
検出面３は、糖度センサ１１を構成する部材であり、糖度を測定する試料が載せられる。検出面３としては、プリズムが用いられる。本実施形態における試料の状態は、特に限定されるものではなく、固体であってもよいし、液体であってもよい。また、本実施形態においては、破壊方式または非破壊方式のどちらを採用しても測定することができる。非破壊方式を採用する場合には、試料を細断（破壊）することなく、後述する放射線検出面４を試料に近づけることで放射線量を測定することができる。
【００１２】
糖度センサ１１は、本体２の内部に配置される。本実施形態において、糖度センサ１１は、試料が載せられた検出面３に向かって内部の光源から光を照射し、光の屈折率を測定することで、試料の所定成分の濃度を測定する、一般的な屈折計を用いることができる。
【００１３】
放射線センサ１２は、本体２の内部に配置される。放射線センサ１２は、検出面３を底面として立ち上がる放射線検出面４を介して、検出面３に載せられた試料の放射線量を非接触で測定する。本実施形態では、放射線センサ１２として、ＧＭ計数管式サーベイメーター、ＮａＩ（ＴＩ）シンチレーション式サーベイメーター、Ｓｉ（Ｌｉ）半導体検出器、またはＧｅ半導体検出器等を用いることができる。
【００１４】
放射線センサ１２を本体２の内部に配置する場合には、試料に含まれる放射線を本体２の内部に導きやすくするために、放射線検出面４に吸気口を設ける構成としてもよい。この場合、液体試料の測定を考慮して、放射線検出面４に防水性の繊維シート（放射線や空気を透過させ、液体を遮断するもの）等を貼り付け、本体２内部への試料の侵入を妨げることが好ましい。
【００１５】
また、放射線センサ１２は、放射線検出面４に配置される構成としてもよい。この場合、放射線検出面４は、放射線を検知する部材から形成される。そして、本体２の内部には、放射線検出面４で検知した放射線を測定する電子回路が設けられる。
【００１６】
本実施形態においては、放射線量を測定する手段として、放射線検出器外部器７をさらに備えてもよい。これにより、放射線検出器外部器７を試料に近づけることにより放射線量の測定が可能となる。
【００１７】
操作部５は、濃度の測定、放射線量の測定、および濃度の測定と放射線量の測定から構成される測定種別を切り替える入力を受け付ける。測定種別は、糖度の測定、放射線量の測定、全測定（糖度および放射線量の測定）である。図１において操作部５は、本体の表面に設けられたスイッチである。本体表面に記載された測定種別にスイッチを合わせると、測定種別を切り替える入力が受け付けられる。操作部５の形態は特に限定されるものではなく、例えば、ボタンであってもよい。操作部５により、測定種別を全測定に設定すると、糖度と、放射線量とが同時に測定される。
【００１８】
表示部６は、測定された糖度または放射線量を表示する。切替部１３は、測定種別の切替えを制御し、操作部５により選択された測定種別に応じて糖度センサ１１または放射線センサ１２を作動させる。
【００１９】
以下、濃度兼放射線量測定器の作用について説明する。
【００２０】
試料を検出面３に載置し、操作部５を所望の測定種別に合わせる。糖度の測定が選択された場合には、切替部１３により制御され、糖度センサ１１が動作する。糖度センサ１１により試料の所定成分の糖度が測定され、測定値は表示部６に表示される。放射線量の測定が選択された場合には、切替部１３により制御され、放射線センサ１２により試料の放射線量が測定され、測定値は表示部６に表示される。また、全測定が選択された場合には、糖度センサ１１および放射線センサ１２による測定が同時に行われ、測定値は表示部６に表示される。
【００２１】
このような本考案に係る濃度兼放射線量測定器は、糖度と放射線量を容易に測定することが可能であり、また、糖度と放射線量を同時に測定することもできる。
【００２２】
本考案の濃度兼放射線量測定器は上記実施形態に限定されず、本考案の主旨を逸脱しない範囲において、種々の改良や変更を行うことができる。例えば、糖度以外でも塩分濃度、酸度等、種々の成分濃度を計測してもよい。また、２つ以上の成分濃度と放射線量を計測可能に構成してもよい。
【符号の説明】
【００２３】
１  濃度兼放射線量測定器
２  本体
３  検出面
４  放射線検出面
５  操作部
６  表示部
７  放射線検出器外部器
１１  糖度センサ
１２  放射線センサ
１３  切替部
【図１】
0003225919.tif 000003
【図２】
0003225919.tif 000004